(57)【要約】【課題】ウェブサイト上で新聞の複製物を記念日の贈り物として送付するサービスを注文する際、ユーザが注文の入力を容易に行うことができる新聞情報出力装置を提供する。【解決手段】新聞情報出力装置において、過去の日付を示す日付情報を含む注文を受け付ける。また、注文に含まれる日付情報が示す日に発行された新聞の紙面情報が、新聞の発行日と当該発行日に発行された新聞の紙面情報とを対応付けて記憶する記憶部に記憶されているか否かを判定する。また、注文の受け付け結果を表示する画面の画面データを生成する。また、日付情報が示す日に発行された新聞の紙面情報が記憶されているか否かを日付判定部が判定した結果に基づいて、注文受付部が受け付ける注文に含まれる日付情報が示す日に発行された新聞の紙面情報、または日付情報が示す日の前後の日に発行された新聞の紙面情報の何れかを選択して、選択した前記紙面情報を出力する。【選択図】図１
2016045648.tif 000002
【特許請求の範囲】
【請求項１】
過去の日付を示す日付情報を含む注文を受け付ける注文受付部と、
前記注文受付部が受け付ける前記注文に含まれる前記日付情報が示す日に発行された新聞の紙面情報が、前記新聞の発行日と当該発行日に発行された新聞の紙面情報とを対応付けて記憶する記憶部に記憶されているか否かを判定する日付判定部と、
前記日付情報が示す日に発行された新聞の紙面情報が記憶されているか否かを前記日付判定部が判定した結果に基づいて、前記注文の受け付け結果を表示する画面の画面データを生成する受付画面データ生成部と、
前記日付情報が示す日に発行された新聞の紙面情報が記憶されているか否かを前記日付判定部が判定した結果に基づいて、前記注文受付部が受け付ける前記注文に含まれる前記日付情報が示す日に発行された前記新聞の前記紙面情報、または前記日付情報が示す日の前後の日に発行された前記新聞の前記紙面情報の何れかを選択して、選択した前記紙面情報を出力する紙面情報出力部と、
を備える新聞情報出力装置。
【請求項２】
前記日付判定部は、
前記注文受付部が１つの日付を示す日付情報と複数年を示す日付情報とを受け付けた場合、前記複数年のそれぞれが示す年と前記１つの日付が示す月日とを組み合わせたそれぞれの年月日に発行された新聞の紙面情報が、前記新聞の発行日と当該発行日に発行された新聞の紙面情報とを対応付けて記憶する記憶部に記憶されているか否かを判定する、
請求項１に記載の新聞情報出力装置。
【請求項３】
前記紙面情報出力部は、
前記日付情報が示す日に発行された新聞の紙面情報が、前記新聞の発行日と当該発行日に発行された新聞の紙面情報とを対応付けて記憶する記憶部に記憶されていると前記日付判定部が判定した場合、前記注文受付部が受け付ける前記注文に含まれる前記日付情報が示す日に発行された前記新聞の前記紙面情報を選択して、選択した前記紙面情報を出力し、
前記日付情報が示す日に発行された新聞の紙面情報が、前記新聞の発行日と当該発行日に発行された新聞の紙面情報とを対応付けて記憶する記憶部に記憶されていないと前記日付判定部が判定した場合、前記注文受付部が受け付ける前記注文に含まれる前記日付情報が示す日の前後の日に発行された前記新聞の前記紙面情報の何れかを選択して、選択した前記紙面情報を出力する、
請求項１または請求項２に記載の新聞情報出力装置。
【請求項４】
前記注文を含む所定のファイル形式のファイルを取得するファイル取得部と、
前記ファイル取得部が取得した前記ファイルに含まれる前記注文の受け付け結果を読み取る注文受付結果読取部と、
を備え、
前記受付画面データ生成部は、
前記注文受付結果読取部が読み取った前記注文の受け付け結果をユーザが修正できる表示で画面に表示する画面データを生成する、
請求項１から請求項３の何れか一項に記載の新聞情報出力装置。
【請求項５】
前記受付画面データ生成部は、
ユーザが前記注文を入力する際に、前記画面における入力箇所を誘導し、前記入力箇所で入力する注文の入力例を表示する画面データを生成する、
請求項１から請求項４の何れか一項に記載の新聞情報出力装置。
【請求項６】
コンピュータを、
過去の日付を示す日付情報を含む注文を受け付ける注文受付部と、
前記注文受付部が受け付ける前記注文に含まれる前記日付情報が示す日に発行された新聞の紙面情報が、前記新聞の発行日と前記紙面情報とを対応付けて記憶する記憶部に記憶されているか否かを判定する日付判定部と、
前記紙面情報が記憶されているか否かを前記日付判定部が判定した結果に基づいて、前記注文の受け付け結果を表示する画面の画面データを生成する受付画面データ生成部と、
前記紙面情報が記憶されているか否かを前記日付判定部が判定した結果に基づいて、前記注文受付部が受け付ける前記注文に含まれる前記日付情報が示す日に発行された前記新聞の前記紙面情報、または前記日付情報が示す日の前後の日に発行された前記新聞の前記紙面情報の何れかを選択して、選択した前記紙面情報を出力する紙面情報出力部、
として機能させるプログラム。
【発明の詳細な説明】
【技術分野】
【０００１】
本発明は、新聞情報出力装置及びプログラムに関する。
【背景技術】
【０００２】
ユーザが指定した日に発行された新聞の紙面を印刷した新聞の複製物を誕生日や結婚記念日などの記念日の贈り物として送付するサービスが知られている。
特許文献１には、関連する技術として、過去の日付を指定する入力を受け付け、指定された過去の日付に発行された新聞の紙面を紙媒体に印刷し、印刷により得た新聞の複製物を出力する新聞出力装置に関する技術が記載されている。
【先行技術文献】
【特許文献】
【０００３】
【特許文献１】特開２０００−３０１４５号公報
【発明の概要】
【発明が解決しようとする課題】
【０００４】
ところで、上述のような新聞の複製物を記念日の贈り物として送付するサービスは、一般的に、ウェブサイト上で発注される。一般的に、ウェブサイト上で家電製品や日常品などの通常の商品を発注する場合、ユーザによる商品の指定はワンクリック操作で完了する。しかしながら、新聞の複製物を記念日の贈り物として送付するサービスでは、ユーザによる商品の種類を指定するためのワンクリック操作のほかに、記念日の入力など通常の商品の発注とは異なる入力が必要となる。そのため、このサービスを初めて利用するユーザは、発注のための入力の仕方がわからなくなり、発注自体を止めてしまう可能性がある。
そのため、ウェブサイト上で新聞の複製物を記念日の贈り物として送付するサービスを発注する際、ユーザが発注のための入力を容易に行うことのできる技術が求められていた。
【０００５】
そこでこの発明は、上記の課題を解決することのできる新聞情報出力装置及びプログラムを提供することを目的としている。
【課題を解決するための手段】
【０００６】
第１の態様は、過去の日付を示す日付情報を含む注文を受け付ける注文受付部と、前記注文受付部が受け付ける前記注文に含まれる前記日付情報が示す日に発行された新聞の紙面情報が、前記新聞の発行日と当該発行日に発行された新聞の紙面情報とを対応付けて記憶する記憶部に記憶されているか否かを判定する日付判定部と、前記日付情報が示す日に発行された新聞の紙面情報が記憶されているか否かを前記日付判定部が判定した結果に基づいて、前記注文の受け付け結果を表示する画面の画面データを生成する受付画面データ生成部と、前記日付情報が示す日に発行された新聞の紙面情報が記憶されているか否かを前記日付判定部が判定した結果に基づいて、前記注文受付部が受け付ける前記注文に含まれる前記日付情報が示す日に発行された前記新聞の前記紙面情報、または前記日付情報が示す日の前後の日に発行された前記新聞の前記紙面情報の何れかを選択して、選択した前記紙面情報を出力する紙面情報出力部と、を備える新聞情報出力装置である。
【０００７】
また、第２の態様は、第１の態様において、前記日付判定部は、前記注文受付部が１つの日付を示す日付情報と複数年を示す日付情報とを受け付けた場合、前記複数年のそれぞれが示す年と前記１つの日付が示す月日とを組み合わせたそれぞれの年月日に発行された新聞の紙面情報が、前記新聞の発行日と当該発行日に発行された新聞の紙面情報とを対応付けて記憶する記憶部に記憶されているか否かを判定する、新聞情報出力装置である。
【０００８】
また、第３の態様は、第１または第２の態様において、前記紙面情報出力部は、前記日付情報が示す日に発行された新聞の紙面情報が、前記新聞の発行日と当該発行日に発行された新聞の紙面情報とを対応付けて記憶する記憶部に記憶されていると前記日付判定部が判定した場合、前記注文受付部が受け付ける前記注文に含まれる前記日付情報が示す日に発行された前記新聞の前記紙面情報を選択して、選択した前記紙面情報を出力し、前記日付情報が示す日に発行された新聞の紙面情報が、前記新聞の発行日と当該発行日に発行された新聞の紙面情報とを対応付けて記憶する記憶部に記憶されていないと前記日付判定部が判定した場合、前記注文受付部が受け付ける前記注文に含まれる前記日付情報が示す日の前後の日に発行された前記新聞の前記紙面情報の何れかを選択して、選択した前記紙面情報を出力する、新聞情報出力装置である。
【０００９】
また、第４の態様は、第１から第３の何れかの態様において、前記注文を含む所定のファイル形式のファイルを取得するファイル取得部と、前記ファイル取得部が取得した前記ファイルに含まれる前記注文の受け付け結果を読み取る注文受付結果読取部と、を備え、前記受付画面データ生成部は、前記注文受付結果読取部が読み取った前記注文の受け付け結果をユーザが修正できる表示で画面に表示する画面データを生成する、新聞情報出力装置である。
【００１０】
また、第５の態様は、第１から第４の何れかの態様において、前記受付画面データ生成部は、ユーザが前記注文を入力する際に、前記画面における入力箇所を誘導し、前記入力箇所で入力する注文の入力例を表示する画面データを生成する、新聞情報出力装置である。
【００１１】
また、第６の態様は、コンピュータを、過去の日付を示す日付情報を含む注文を受け付ける注文受付部と、前記注文受付部が受け付ける前記注文に含まれる前記日付情報が示す日に発行された新聞の紙面情報が、前記新聞の発行日と前記紙面情報とを対応付けて記憶する記憶部に記憶されているか否かを判定する日付判定部と、前記紙面情報が記憶されているか否かを前記日付判定部が判定した結果に基づいて、前記注文の受け付け結果を表示する画面の画面データを生成する受付画面データ生成部と、前記紙面情報が記憶されているか否かを前記日付判定部が判定した結果に基づいて、前記注文受付部が受け付ける前記注文に含まれる前記日付情報が示す日に発行された前記新聞の前記紙面情報、または前記日付情報が示す日の前後の日に発行された前記新聞の前記紙面情報の何れかを選択して、選択した前記紙面情報を出力する紙面情報出力部、として機能させるプログラムである。
【発明の効果】
【００１２】
本発明の新聞情報出力装置の処理により、ウェブサイト上で新聞の複製物を記念日の贈り物として送付するサービスを注文する際、ユーザが注文の入力を容易に行うことができる。
【図面の簡単な説明】
【００１３】
【図１】実施形態による新聞情報出力装置１を備える受発注システム３の構成の例を示す図である。
【図２】本発明の実施形態による新聞情報出力装置１の構成を示すブロック図の一例である。
【図３】図２に示した新聞情報出力装置１を実現するハードウェアの構成を示すブロック図の一例である。
【図４】実施形態による新聞情報出力装置１を備える紙面情報記憶部１２が記憶するデータテーブルの例を示す図である。
【図５】ユーザが記念日新聞に係るサービスを発注する際に、注文を入力する受付画面の例を示す図である。
【図６】ユーザが記念日新聞に係るサービスを発注する際に、注文を入力する受付画面の例を示す図である。
【図７】受付画面での入力を支援する例を示す図である。
【図８】受付画面に入力した情報に基づき作製される記念日新聞に係るサービスの商品のイメージを表示する表示例を示す図である。
【図９】新聞情報出力装置１の処理フローの一例を示す図である。
【図１０】新聞情報出力装置１の処理フローの一例を示す図である。
【発明を実施するための形態】
【００１４】
＜実施形態＞
以下、本発明の実施形態について、図面を参照して詳細に説明する。
まず、実施形態による新聞情報出力装置１を備える受発注システム３の構成について説明する。
図１は、実施形態による新聞情報出力装置１を備える受発注システム３の構成の例を示す図である。
図１において、受発注システム３は、発注端末４０と、受注システム５０と、ネットワーク６０とを含む。また、受注システム５０は、新聞情報出力装置１と、印刷機２とを備える。
【００１５】
発注端末４０は、ユーザが記念日新聞に係るサービスを発注するための装置である。例えば、発注端末４０は、ウェブブラウザがインストールされたパーソナルコンピュータ、スマートフォン、タブレットなどである。なお、記念日新聞に係るサービスは、例えば、過去に発行した新聞の紙面情報を用いて記念日などのユーザが指定した日付の新聞記事（一面やテレビ欄など）を製本した商品を提供するサービスである。なお、紙面情報とは、過去に発行した新聞の紙面のスキャンデータである。
【００１６】
受注システム５０は、発注端末４０からユーザが発注した記念日新聞に係るサービスを受注する装置である。
受注システム５０が備える新聞情報出力装置１は、記念日新聞に係るサービスの注文サイトを管理する。すなわち、新聞情報出力装置１は、記念日新聞に係るサービスの注文サイトの情報リソースを記憶する。また、新聞情報出力装置１は、発注端末４０が送信したＨＴＭＬのデータ（注文を示すデータ）を受信し、注文を記憶する。また、新聞情報出力装置１は、新聞社から提供された過去に発行した新聞の紙面情報を記憶する。また、新聞情報出力装置１は、記憶している新聞の紙面情報を読み出す。また、新聞情報出力装置１は、新聞社から新規に提供された新聞の紙面情報を記憶する。また、新聞情報出力装置１は、印刷機２に発注端末４０から受注した記念日新聞に係るサービスに使用する新聞の紙面情報を出力する。
受注システム５０が備える印刷機２は、新聞情報出力装置１から新聞の紙面情報を入力すると、その紙面情報を記念日新聞に係るサービス、例えば記念日に発行された新聞記事の製本に用いる用紙に印刷する。
【００１７】
ネットワーク６０は、例えば、インターネットプロトコル（Ｉｎｔｅｒｎｅｔ  Ｐｒｏｔｏｃｏｌ；ＩＰ）によって通信可能なコンピュータネットワークである。例えば、ネットワーク６０は、インターネットである。なお、ネットワーク６０は、ローカルエリアネットワーク（Ｌｏｃａｌ  Ａｒｅａ  Ｎｅｔｗｏｒｋ；ＬＡＮ）を含んでもよい。
発注端末４０と、受注システム５０とは、ネットワーク６０を介して通信可能に接続されている。
【００１８】
ユーザは、発注端末４０のウェブブラウザを用いて新聞情報出力装置１が管理する記念日新聞に係るサービスの注文サイトを閲覧し、その注文サイトの注文フォームに従って注文を入力する。記念日新聞に係るサービスの注文サイトは、オンラインショップサイトである。例えば、発注端末４０は、ＨＴＴＰ（Ｈｙｐｅｒｔｅｘｔ  Ｔｒａｎｓｆｅｒ  Ｐｒｏｔｏｃｏｌ）またはＨＴＴＰＳ（Ｈｙｐｅｒｔｅｘｔ  Ｔｒａｎｓｆｅｒ  Ｐｒｏｔｏｃｏｌ  Ｓｅｃｕｒｅ）によって、新聞情報出力装置１が管理する記念日新聞に係るサービスの注文サイトにアクセスし、新聞情報出力装置１からＨＴＭＬ（Ｈｙｐｅｒｔｅｘｔ  Ｍａｒｋｕｐ  Ｌａｎｇｕａｇｅ）の情報リソースを取得する。そして、発注端末４０は、取得した情報リソースをウェブブラウザによって表示部に表示させる。発注端末４０は、ユーザが入力した注文を示すデータを、ＨＴＭＬのデータとして新聞情報出力装置１に送信する。
【００１９】
新聞情報出力装置１は、発注端末４０から受信した注文に基づいて、ユーザが指定した発行日の紙面情報と注文票を作成するためのデータとを取得する。新聞情報出力装置１は、取得した紙面情報と注文票を作成するためのデータとを印刷機２に送信する。印刷機２は、新聞情報出力装置１から紙面情報と注文票を作成するためのデータとを受信すると、記念日新聞に係るサービス専用の用紙に受信した紙面情報が示す記事を印刷する。また、印刷機２は、記念日新聞に係るサービスの注文票を印刷する。
印刷機２が記事を印刷したサービス専用の用紙は、製本され、注文票と共にユーザが指定した住所へ送付される。
【００２０】
次に、本発明の実施形態による新聞情報出力装置１の構成について説明する。
図２は、本発明の実施形態による新聞情報出力装置１の構成を示すブロック図の一例である。
実施形態において、新聞情報出力装置１は、記念日新聞に係るサービスのウェブサイト上で注文のための入力を案内すると共に、ユーザが発注端末４０を操作しウェブサイトから入力する注文を受け付ける装置である。
図２において、新聞情報出力装置１は、通信部１０と、紙面情報記憶部１２と、紙面情報管理部１４と、注文受付部１５と、受付画面データ生成部１６と、受付画面データ記憶部１８と、注文受付結果読取部２０と、注文受付結果記憶部２２と、日付判定部２４と、ファイル取得部２６と、を備える。
【００２１】
通信部１０は、ネットワーク６０を介して発注端末４０が備える通信部と通信を行う。
紙面情報記憶部１２は、新聞の発行日とその発行日に発行された新聞の紙面情報とを対応付けて記憶する。なお、紙面情報記憶部１２が記憶する新聞の発行日は、朝刊及び夕刊の休刊日が含まれている。
紙面情報管理部１４は、紙面情報記憶部１２が記憶する過去に発行された新聞の紙面情報を読み出す。また、紙面情報管理部１４は、新規に発行された新聞の紙面情報を紙面情報記憶部１２に書き込む。
注文受付部１５は、過去の日付を示す日付情報を含む記念日新聞に係るサービスの注文を受け付ける。
【００２２】
受付画面データ生成部１６は、日付情報が示す日に発行された新聞の紙面情報が記憶されているか否かを日付判定部２４が判定した結果に基づいて、注文の受け付け結果を表示する画面の画面データを生成する。
また、受付画面データ生成部１６は、注文受付結果読取部２０が読み取った注文の受け付け結果をユーザが修正できる表示で画面に表示する画面データを生成する。
また、受付画面データ生成部１６は、ユーザが注文を入力する際に、画面における入力箇所を誘導し、入力箇所で入力する注文の入力例を表示する画面データを生成する。
また、受付画面データ生成部１６は、ユーザが注文を入力する際に、画面における注文の入力の入力手順を示す動画を表示する画面データを生成する。
また、受付画面データ生成部１６は、画面に注文に対応する商品のサンプルを表示する画面データを生成する。
【００２３】
受付画面データ記憶部１８は、記念日新聞に係るサービスの注文サイトの情報リソースを記憶する。
注文受付結果読取部２０は、ファイル取得部２６が取得したファイルに含まれる注文の受け付け結果を読み取る。
【００２４】
注文受付結果記憶部２２は、注文受付結果読取部２０が読み取った注文を記憶する。
日付判定部２４は、注文受付部１５が受け付ける注文に含まれる日付情報が示す日に発行された新聞の紙面情報が、新聞の発行日と当該発行日に発行された新聞の紙面情報とを対応付けて記憶する紙面情報記憶部１２に記憶されているか否かを判定する。
また、日付判定部２４は、注文受付部１５が１つの日付を示す日付情報と複数年を示す日付情報とを受け付けた場合、複数年のそれぞれが示す年と１つの日付が示す月日とを組み合わせたそれぞれの年月日に発行された新聞の紙面情報が、新聞の発行日と当該発行日に発行された新聞の紙面情報とを対応付けて記憶する紙面情報記憶部１２に記憶されているか否かを判定する。
紙面情報出力部２５は、日付情報が示す日に発行された新聞の紙面情報が記憶されているか否かを日付判定部２４が判定した結果に基づいて、注文受付部１５が受け付ける注文に含まれる日付情報が示す日に発行された新聞の紙面情報、または日付情報が示す日の前後の日に発行された新聞の紙面情報の何れかを選択して、選択した紙面情報を出力する。
また、紙面情報出力部２５は、日付情報が示す日に発行された新聞の紙面情報が、新聞の発行日と当該発行日に発行された新聞の紙面情報とを対応付けて記憶する紙面情報記憶部１２に記憶されていると日付判定部２４が判定した場合、注文受付部１５が受け付ける注文に含まれる日付情報が示す日に発行された新聞の紙面情報を選択して、選択した紙面情報を出力する。また、紙面情報出力部２５は、日付情報が示す日に発行された新聞の紙面情報が、新聞の発行日と当該発行日に発行された新聞の紙面情報とを対応付けて記憶する紙面情報記憶部１２に記憶されていないと日付判定部２４が判定した場合、注文受付部１５が受け付ける注文に含まれる日付情報が示す日の前後の日に発行された新聞の紙面情報の何れかを選択して、選択した紙面情報を出力する。
ファイル取得部２６は、注文を含む所定のファイル形式のファイルを取得する。
【００２５】
新聞情報出力装置１において、日付判定部２４が注文受付結果読取部２０が読み取った注文に含まれる発行日に対応する紙面情報が有ると判定した場合、紙面情報出力部２５は、注文受付部１５が受け付ける注文に含まれる日付情報が示す日に発行された新聞の紙面情報を選択して、選択した紙面情報を出力する。また、日付判定部２４がその発行日に対応する紙面情報が無いと判定した場合、紙面情報出力部２５は、注文受付部１５が受け付ける注文に含まれる日付情報が示す日の前後の日に発行された新聞の紙面情報の何れかを選択して、選択した紙面情報を出力する。
【００２６】
次に、図２に示した新聞情報出力装置１を実現するハードウェアの構成について説明する。
図３は、図２に示した新聞情報出力装置１を実現するハードウェアの構成を示すブロック図の一例である。
図３において、新聞情報出力装置１は、ＣＰＵ部２８と、通信部１０と、記憶部３０と、を備える。これら各部はデータを交換できるように構成されている。ＣＰＵ部２８は新聞情報出力装置１の制御を行う。この制御機能は、ＣＰＵ部２８がコンピュータプログラムを実行することにより実現される。通信部１０は他の装置と通信する。記憶部３０は、ＣＰＵ部２８で実行されるコンピュータプログラムや各種のデータを記憶する。記憶部３０は、記念日新聞受注プログラム３２を記憶している。
【００２７】
図２に示される紙面情報管理部１４、注文受付部１５、受付画面データ生成部１６、注文受付結果読取部２０、日付判定部２４、紙面情報出力部２５及びファイル取得部２６の各機能は、図２に示されるＣＰＵ部２８が記憶部３０に記憶される記念日新聞受注プログラム３２を実行することにより実現される。また、図２に示される紙面情報記憶部１２、受付画面データ記憶部１８及び注文受付結果記憶部２２のそれぞれは、図２に示される記憶部３０内に設けられる。
【００２８】
次に、紙面情報記憶部１２が記憶するデータテーブルＴＢＬ１及びデータテーブルＴＢＬ２について説明する。
図４は、実施形態による新聞情報出力装置１を備える紙面情報記憶部１２が記憶するデータテーブルの例を示す図である。
図４に示すデータテーブルＴＢＬ１は、採録期間における新聞の紙面情報の有無を示している。
例えば、データテーブルＴＢＬ１において、朝刊の紙面情報が無い場合、朝刊発行フラグは「０」である。そして、朝刊発行フラグ「０」に対応する紙面情報の識別番号を示す紙面情報識別番号は「ｍ００００００００」によって示される。紙面情報識別番号は、発行された朝刊と夕刊の各新聞の紙面情報を識別する識別番号を示す番号である。この紙面情報識別番号「ｍ００００００００」は、朝刊の紙面情報が存在しないことを示す。また、朝刊の紙面情報が有る場合、朝刊発行フラグは「１」である。そして、対応する紙面情報識別番号が「ｍ００００００００」以外の「ｍｙｙｙｙｍｍｄｄ」によって示される。
また、データテーブルＴＢＬ１において、夕刊の紙面情報が無い場合、夕刊発行フラグは「０」である。そして、夕刊発行フラグ「０」に対応する紙面情報識別番号は「ｅ００００００００」によって示される。この紙面情報識別番号「ｅ００００００００」は、夕刊の紙面情報が存在しないことを示す。また、夕刊の紙面情報が有る場合、夕刊発行フラグは「１」である。そして、対応する紙面情報識別番号が「ｅ００００００００」以外の「ｅｙｙｙｙｍｍｄｄ」によって示される。なお、採録期間は、例えば、紙面情報が存在する１８７３年（明治６年）１月１日から現在日までである。
【００２９】
例えば、図４に示すデータテーブルＴＢＬ１において、日付「２０１４年８月１２日」の朝刊の朝刊発行フラグは、「０」である。そして、朝刊発行フラグ「０」に対応する紙面情報識別番号は、「ｍ００００００００」である。また、日付「２０１４年８月１２日」の夕刊の夕刊発行フラグは、「０」である。そして、夕刊発行フラグ「０」に対応する紙面情報識別番号は、「ｅ００００００００」である。
したがって、「２０１４年８月１２日」の新聞は、朝刊及び夕刊の両方が休刊である。
【００３０】
また、例えば、図４に示すデータテーブルＴＢＬ１において、日付「２０１４年８月１３日」の朝刊の朝刊発行フラグは、「１」である。そして、朝刊発行フラグ「１」に対応する紙面情報識別番号は、「ｍ２０１４０８１３」である。また、日付「２０１４年８月１３日」の夕刊の夕刊発行フラグは、「１」である。そして、夕刊発行フラグ「１」に対応する紙面情報識別番号は、「ｅ２０１４０８１３」である。
したがって、「２０１４年８月１３日」の新聞は、朝刊及び夕刊の両方が発行されている。
【００３１】
また、例えば、図４に示すデータテーブルＴＢＬ１において、日付「２０１４年８月１４日」の朝刊の朝刊発行フラグは、「０」である。そして、朝刊発行フラグ「０」に対応する紙面情報識別番号は、「ｍ００００００００」である。また、日付「２０１４年８月１４日」の夕刊の夕刊発行フラグは、「１」である。そして、夕刊発行フラグ「１」に対応する紙面情報識別番号は、「ｅ２０１４０８１４」である。
したがって、「２０１４年８月１４日」の新聞は、朝刊が休刊であり、夕刊が発行されている。
【００３２】
また、例えば、図４に示すデータテーブルＴＢＬ１において、日付「２０１４年８月１５日」の朝刊の朝刊発行フラグは、「１」である。そして、朝刊発行フラグ「１」に対応する紙面情報識別番号は、「ｍ２０１４０８１５」である。また、日付「２０１４年８月１５日」の夕刊の夕刊発行フラグは、「０」である。そして、夕刊発行フラグ「０」に対応する紙面情報識別番号は、「ｅ００００００００」である。
したがって、「２０１４年８月１４日」の新聞は、朝刊が発行されており、夕刊が休刊である。
なお、紙面情報管理部１４は、新聞社から新たな紙面情報が提供される度にその紙面情報をデータテーブルＴＢＬ１に追加する。
【００３３】
また、図４に示すデータテーブルＴＢＬ２は、紙面情報識別番号と紙面情報との対応関係を示している。
例えば、データテーブルＴＢＬ２において、紙面情報識別番号「ｍ２０１４０８１３」は、紙面情報「ｄｍ２０１４０８１３」と対応付けられている。また、紙面情報識別番号「ｅ２０１４０８１３」は、紙面情報「ｄｅ２０１４０８１３」と対応付けられている。また、紙面情報識別番号「ｅ２０１４０８１４」は、紙面情報「ｄｅ２０１４０８１４」と対応付けられている。また、紙面情報識別番号「ｍ２０１４０８１５」は、紙面情報「ｄｍ２０１４０８１５」と対応付けられている。
なお、紙面情報管理部１４は、新聞社から新たな紙面情報が提供される度にその紙面情報をデータテーブルＴＢＬ２に追加する。
なお、データテーブルＴＢＬ１及びデータテーブルＴＢＬ２は、新聞社毎に用意されている。
【００３４】
次に、ユーザが注文を入力する受付画面について説明する。
図５及び図６は、ユーザが記念日新聞に係るサービスを発注する際に、注文を入力する受付画面の例を示す図である。
図５（１）〜（３）及び図６（４）〜（５）は、ユーザが記念日新聞に係るサービスを発注する際の主な受付画面を示している。
【００３５】
図５（１）の受付画面は、ユーザが行う注文の主な入力である「１．新聞社の入力」を行う画面である。図５（１）の受付画面でユーザが行う「１．新聞社の入力」は、複数の新聞社が発行する新聞のうちどの新聞記事を使用して記念日新聞に係るサービスを提供するかを指定するための入力である。例えば、ユーザが行う「１．新聞社の入力」は、図５（１）に示すように、「ご希望の新聞社をお選びください」という表示の近傍に表示されたプルダウンメニューに示される複数の新聞社の中から１つの新聞社をユーザが選択することにより行うものである。
なお、ユーザが行う「１．新聞社の入力」は、プルダウンメニューに示される複数の新聞社の中から１つの新聞社を選択することにより行うものに限定するものではない。例えば、ユーザは、キーをタイプして入力欄に１つの新聞社名を入力することにより行うものであってもよい。
【００３６】
図５（２）の受付画面は、ユーザが行う注文の主な入力である「２．記念日の入力」を行う画面である。図５（２）の受付画面でユーザが行う「２．記念日の入力」は、いつ発行した新聞の新聞記事を使用して記念日新聞に係るサービスを提供するかを指定するための入力である。例えば、ユーザが行う「２．記念日の入力」は、図５（２）に示すように、「ご希望の日付を入力してください」という表示の近傍に表示されたプルダウンメニューに示される「年」、「月」及び「日」のそれぞれを複数の候補の中から選択し、その選択により日付（年月日）を指定する。また、プルダウンメニューに示される「年分」のそれぞれの複数の候補の中から１つを選択することにより複数年まとめて日付を入力するものである。すなわち、ユーザは、１つの日付を示す「年」、「月」、「日」を入力し、複数年を示す何「年分」を入力することにより、複数年のそれぞれが示す年と日付が示す月日とを組み合わせたそれぞれの年月日が発行日として入力したことになる。例えば、１つの日付を示す「年」、「月」、「日」として“２０１４年８月１２日”を入力し、複数年を示す「年分」として“３”を入力した場合、“２０１４年８月１２日”、“２０１５年８月１２日”、“２０１５年８月１２日”を入力したことになる。
なお、ユーザが行う「２．記念日の入力」は、プルダウンメニューに示される複数の候補の中から選択することにより行うものに限定するものではない。例えば、ユーザは、キーボードをタイプして複数の入力欄のそれぞれに１つの日付を入力することにより複数の日付が示す記念日の入力を行うものであってもよい。また、例えば、ユーザは、所定のファイル形式のファイルから成る注文シートをダウンロードし、ダウンロードしたファイルに複数の日付を入力する。そして、ユーザは、複数の日付を入力したファイルをアップロードするものであってもよい。なお、所定のファイル形式のファイルは、例えば、データをカンマや改行で区切って並べたテキスト形式のファイルの１つであるＣＳＶ形式のファイルである。
【００３７】
図５（３）の受付画面は、ユーザが行う注文の主な入力である「３．表紙の色の入力」を行う画面である。図５（３）の受付画面でユーザが行う「３．表紙の色の入力」は、記念日新聞に係るサービスの商品の表紙の色を指定するための入力である。例えば、ユーザが行う「３．表紙の色の入力」は、図５（３）に示すように、「表紙の色を選択してください」という表示の近傍に、選択可能な色の表紙のサンプルを表示し、それらのサンプル毎に設けられたチェックボックスを選択することにより入力するものである。
なお、ユーザが行う「３．表紙の色の入力」は、サンプル毎に設けられたチェックボックスを選択することにより行うものに限定するものではない。例えば、ユーザは、マウスを介して表紙のサンプルを直接的に選択することにより行うものであってもよい。
【００３８】
図６（４）の受付画面は、ユーザが行う注文の主な入力である「４．表紙に印字するタイトル・氏名の入力」を行う画面である。図６（４）の受付画面でユーザが行う「４．表紙に印字するタイトル・氏名の入力」は、記念日新聞に係るサービスの商品の表紙に印字するタイトル及び氏名を指定するための入力である。例えば、ユーザが行う「４．表紙に印字するタイトル・氏名の入力」は、図６（４）に示すように、「表紙に印字するタイトル・お名前を入力してください」という表示の近傍に表示されたプルダウンメニューに示される既定のタイトルを選択する、または、「表紙に印字するタイトル・お名前を入力してください」という表示の近傍に表示された入力欄に任意の文字列を入力することにより行うものである。また、ユーザが行う「４．表紙に印字するタイトル・氏名の入力」は、タイトルなしのチェックボックスを選択することにより行うこともでき、この場合、表紙にタイトルを印字しない。また、ユーザが行う「４．表紙に印字するタイトル・氏名の入力」は、図６（４）に示すように、「表紙に印字するタイトル・お名前を入力してください」という表示の近傍に表示された入力欄に任意の文字列を入力し、プルダウンメニューに示される複数の敬称の中から１つを選択することにより行うものである。
なお、ユーザが行う「４．表紙に印字するタイトル・氏名の入力」は、上述のタイトルの入力や氏名の入力に限定するものではない。例えば、ユーザは、キーボードをタイプしてタイトル及び氏名を印字するフォントサイズを変更し、入力欄に任意の文字列を入力することにより行うものであってもよい。
【００３９】
図６（５）の受付画面は、ユーザが行う注文の主な入力である「５．オプション選択の入力」を行う画面である。図６（５）の受付画面でユーザが行う「５．オプション選択の入力」は、記念日新聞に係るサービスの商品のオプションを指定するための入力である。例えば、ユーザが行う「５．オプション選択の入力」は、図６（５）に示すように、「オプション選択」という表示の近傍に表示された種々のオプションの入力欄に必要な数量を数字で入力することにより行うものである。
例えば、オプションは、新聞文字を見やすくするルーペやプレゼント用の袋などである。また、オプションは、記念日新聞の記事における写真や氏名を贈り先の人物の写真や氏名に変更するものや、記念日新聞における文字を拡大印刷するものであってもよい。
【００４０】
なお、図５及び図６に示す受付画面は、新聞情報出力装置１が備える受付画面データ生成部１６が生成した受付画面の画面データに基づいて、発注端末４０が表示部に表示させる受付画面である。例えば、受付画面データ生成部１６が生成し受付画面データ記憶部１８に記録した受付画面の画面データは、ＨＴＭＬの情報リソースである。発注端末４０は、新聞情報出力装置１からＨＴＭＬの情報リソースを取得し、ウェブブラウザによって表示部に受付画面を表示させる。
発注端末４０は、ユーザが受付画面で入力した情報を新聞情報出力装置１に送信する。新聞情報出力装置１が備える受付画面データ生成部１６は、発注端末４０からユーザが受付画面で入力した情報を受信すると、受信した情報に基づいて新規の受付画面の画面データを生成する。そして、受付画面データ生成部１６は、生成した新規の受付画面の画面データを受付画面データ記憶部１８に記録する。ここで、受付画面データ生成部１６が受付画面データ記憶部１８に記録した受付画面の画面データは、ＨＴＭＬの情報リソースである。発注端末４０は、新聞情報出力装置１からＨＴＭＬの情報リソースを取得し、ウェブブラウザによって表示部に受付画面を表示させる。このとき、表示部が表示する受付画面は、ユーザが受付画面で入力した情報が反映された新規の受付画面である。
【００４１】
次に、受付画面での入力の支援について説明する。
図７は、受付画面での入力を支援する例を示す図である。
図７に示す受付画面での入力の支援は、受付画面において現在どの項目に何を入力すればよいかを例示するものである。この支援は、受付画面データ記憶部１８が記憶する画面データにより新聞情報出力装置１が行う支援である。例えば、受付画面データ記憶部１８は、図７に示すように、「２．記念日の入力」を行う受付画面に「ここをクリックしてください」などの文字を表示する画面データを記憶する。また、受付画面データ記憶部１８は、ユーザによるクリック操作後に受付画面に表示される複数の候補から選択するイメージを選択例として表示する画面データを記憶する。
なお、受付画面での入力支援は、図７に示すような表示に限定するものではない。例えば、受付画面での入力支援は、受付画面データ記憶部１８が音声データを記憶し、音声により入力を支援するものであってもよい。また、受付画面での入力支援は、受付画面データ記憶部１８が動画データを記憶し、動画で受付画面での入力の例を示すことにより支援するものであってよい。また、受付画面での入力支援は、受付画面データ記憶部１８が警告を表示する画面データを記憶し、入力したデータが削除される場合などに警告を表示することにより入力を支援するものであってもよい。
【００４２】
次に、受付画面に入力した情報に基づき作製される記念日新聞に係るサービスの商品のイメージの表示について説明する。
図８は、受付画面に入力した情報に基づき作製される記念日新聞に係るサービスの商品のイメージを表示する表示例を示す図である。
記念日新聞に係るサービスの商品のイメージの表示は、図５及び図６に示したような受付画面における入力が完了した後に、受付画面に入力した情報に基づき作製される商品のイメージである。例えば、受付画面における入力が完了すると、図８に示すように、現在の入力内容の一覧が表示される。ここで、商品タイプの項目に表示されている商品のサムネールをクリックすると、商品のイメージが表示される。例えば、商品のサムネールをクリックすると、表紙の色・タイトル・氏名、製本の最初から数ページ、オプションなどサムネールが表示され、それぞれを拡大表示することで、ユーザは、現在の入力内容を視覚的に把握することができる。
【００４３】
次に、受発注システム３における新聞情報出力装置１の処理について説明する。
図９及び図１０は、新聞情報出力装置１の処理フローの一例を示す図である。
なお、新聞情報出力装置１が備える受付画面データ記憶部１８は、記念日新聞に係るサービスの注文サイトの受付画面データを記憶しているものとする（ステップＳ１）。
【００４４】
発注端末４０は、ユーザ操作により記念日新聞に係るサービスの注文サイトにアクセスする。発注端末４０は、新聞情報出力装置１が備える受付画面データ記憶部１８からＨＴＭＬの情報リソース（受付画面データ）を取得する。発注端末４０は、取得した情報リソースをウェブブラウザによって表示部７０に表示させる。ここで、記念日新聞に係るサービスが複数ある場合、ユーザは複数のサービスから１つを指定する操作を発注端末４０に対して行う。受付画面データ記憶部１８からＨＴＭＬの情報リソース（受付画面データ）を取得する。発注端末４０は、取得した情報リソースをウェブブラウザによって表示部７０に表示させる。なお、以下では、発注端末４０が表示部７０に受付画面を表示させる際に行う、ＨＴＭＬの情報リソース（受付画面データ）の取得についての記述は省略する。
【００４５】
発注端末４０は、ユーザ操作により注文サイトの受付画面を表示部７０に表示させる。表示部７０が表示する受付画面は、例えば、図５に示した受付画面である。
【００４６】
ユーザは、「１．新聞社の入力」を行う操作を発注端末４０に対して行う。例えば、ユーザは、図５（１）に示す「ご希望の新聞社をお選びください」という表示の近傍に表示されたプルダウンメニューに示される複数の新聞社の中から１つの新聞社を選択する操作を発注端末４０に対して行う。例えば、ユーザは、プルダウンメニューに示されるＡ社、Ｂ社、Ｃ社の中からＡ社を選択する操作を発注端末４０に対して行う。なお、受付画面データ記憶部１８が記憶している受付画面データは、ユーザがプルダウンメニューから新聞社を選択する際に入力を支援するためのデータを含んでいてもよい。ユーザがプルダウンメニューから新聞社を選択する際に入力を支援するためのデータを受付画面データが含んでいる場合、発注端末４０は、表示部に入力を支援する表示を受付画面に表示させる。
これにより、ユーザは現在入力すべき項目を把握することができ、容易に発注のための入力を行うことができる。
【００４７】
発注端末４０は、新聞社を選択するユーザ操作に応じた新聞社選択情報をネットワーク６０を介して受注システム５０に送信する。例えば、新聞社選択情報はＨＴＭＬのデータであり、ユーザがプルダウンメニューに示されるＡ社を選択する操作を発注端末４０に対して行った場合、新聞社選択情報はＡ社を選択したことを示す情報を含んでいる。
【００４８】
受注システム５０が発注端末４０から新聞社選択情報を受信すると（ステップＳ２）、受注システム５０が備える新聞情報出力装置１の注文受付結果読取部２０は、新聞社選択情報に含まれる情報に基づいて、ユーザが選択した新聞社を読み取る（ステップＳ３）。例えば、注文受付結果読取部２０は、新聞社選択情報に含まれる情報に基づいて、ユーザが選択した新聞社をＡ社と読み取る。注文受付結果読取部２０は、読み取った新聞社（Ａ社）を注文受付結果記憶部２２に記録する（ステップＳ４）。また、注文受付結果読取部２０は、読み取った新聞社（Ａ社）を受付画面データ生成部１６に出力する。
【００４９】
受付画面データ生成部１６は、注文受付結果読取部２０から新聞社（Ａ社）を入力すると、入力した新聞社（Ａ社）に基づいて、受付画面データを生成する（ステップＳ５）。ここで、受付画面データ生成部１６が生成する受付画面データは、図５（１）の受付画面において新聞社（Ａ社）を選択したことを示すデータである。
受付画面データ生成部１６は、生成した受付画面データを受付画面データ記憶部１８が記憶する受付画面データに上書き保存する（ステップＳ６）。
【００５０】
発注端末４０は、受付画面データ記憶部１８からＨＴＭＬの情報リソース（受付画面データ）を定期的に取得している。そのため、発注端末４０は、ステップＳ６の処理の後に取得した情報リソースをウェブブラウザによって表示部７０に表示させると、表示部７０は、ユーザが選択した新聞社（Ａ社）を表示する。
なお、ユーザが発注端末４０に対して新聞社（Ａ社）を選択する操作を行ってから表示部７０がユーザが選択した新聞社（Ａ社）を表示するまでの時間は、一瞬と感じられる程度に短い時間である。
【００５１】
次に、ユーザは、「２．記念日の入力」を行う操作を発注端末４０に対して行う。例えば、ユーザは、図５（２）に示す「ご希望の日付を入力してください」という表示の近傍に表示されたプルダウンメニューに示される「年」を複数の候補の中から選択する操作を発注端末４０に対して行う。例えば、ユーザは、プルダウンメニューに示される１８８８／明治２１を選択する操作を発注端末４０に対して行う。
【００５２】
発注端末４０は、「年」を選択するユーザ操作に応じた年選択情報をネットワーク６０を介して受注システム５０に送信する。
【００５３】
受注システム５０が発注端末４０から年選択情報を受信すると（ステップＳ７）、受注システム５０が備える新聞情報出力装置１の注文受付結果読取部２０は、年選択情報に含まれる情報に基づいて、ユーザが選択した「年」を読み取る（ステップＳ８）。例えば、注文受付結果読取部２０は、年選択情報に含まれる情報に基づいて、ユーザが選択した「年」“１８８８／明治２１”を読み取る。注文受付結果読取部２０は、読み取った「年」を注文受付結果記憶部２２に記録する（ステップＳ９）。また、注文受付結果読取部２０は、読み取った「年」“１８８８／明治２１”を受付画面データ生成部１６に出力する。
【００５４】
受付画面データ生成部１６は、注文受付結果読取部２０から読み取った「年」“１８８８／明治２１”を入力すると、入力した「年」“１８８８／明治２１”に基づいて、受付画面データを生成する（ステップＳ１０）。ここで、受付画面データ生成部１６が生成する受付画面データは、図５（２）の受付画面において「年」“１８８８／明治２１”を選択したことを示すデータである。
受付画面データ生成部１６は、生成した受付画面データを受付画面データ記憶部１８が記憶する受付画面データに上書き保存する（ステップＳ１１）。
【００５５】
発注端末４０は、ステップＳ１１の処理の後に取得した情報リソースをウェブブラウザによって表示部７０に表示させる。表示部７０は、ユーザが選択した「年」“１８８８／明治２１”を表示する。
【００５６】
次に、ユーザは、図５（２）に示す「ご希望の日付を入力してください」という表示の近傍に表示されたプルダウンメニューに示される「月」を複数の候補の中から選択する操作を発注端末４０に対して行う。例えば、ユーザは、プルダウンメニューに示される１を選択する操作を発注端末４０に対して行う。
【００５７】
発注端末４０は、「月」を選択するユーザ操作に応じた月選択情報をネットワーク６０を介して受注システム５０に送信する。
【００５８】
受注システム５０が発注端末４０から月選択情報を受信すると（ステップＳ１２）、受注システム５０が備える新聞情報出力装置１の注文受付結果読取部２０は、月選択情報に含まれる情報に基づいて、ユーザが選択した「月」を読み取る（ステップＳ１３）。例えば、注文受付結果読取部２０は、月選択情報に含まれる情報に基づいて、ユーザが選択した「月」“１”を読み取る。注文受付結果読取部２０は、読み取った「月」を注文受付結果記憶部２２に記録する（ステップＳ１４）。また、注文受付結果読取部２０は、読み取った「月」“１”を受付画面データ生成部１６に出力する。
【００５９】
受付画面データ生成部１６は、注文受付結果読取部２０から「月」“１”を入力すると、入力した「月」“１”に基づいて、受付画面データを生成する（ステップＳ１５）。ここで、受付画面データ生成部１６が生成する受付画面データは、図５（２）の受付画面において「月」“１”を選択したことを示すデータである。
受付画面データ生成部１６は、生成した受付画面データを受付画面データ記憶部１８が記憶する受付画面データに上書き保存する（ステップＳ１６）。
【００６０】
発注端末４０は、ステップＳ１６の処理の後に取得した情報リソースをウェブブラウザによって表示部７０に表示させる。表示部７０は、ユーザが選択した「月」“１”を表示する。
【００６１】
次に、ユーザは、図５（２）に示す「ご希望の日付を入力してください」という表示の近傍に表示されたプルダウンメニューに示される「日」を複数の候補の中から選択する操作を発注端末４０に対して行う。例えば、ユーザは、プルダウンメニューに示される１７を選択する操作を発注端末４０に対して行う。
【００６２】
発注端末４０は、「日」を選択するユーザ操作に応じた日選択情報をネットワーク６０を介して受注システム５０に送信する。
【００６３】
受注システム５０が発注端末４０から日選択情報を受信すると（ステップＳ１７）、受注システム５０が備える新聞情報出力装置１の注文受付結果読取部２０は、日選択情報に含まれる情報に基づいて、ユーザが選択した「日」を読み取る（ステップＳ１８）。例えば、注文受付結果読取部２０は、日選択情報に含まれる情報に基づいて、ユーザが選択した「日」“１７”を読み取る。この時点で、注文受付結果読取部２０は、日付（年月日）を“１８８８／明治２１年１月１７日”と読み取ったことになる。注文受付結果読取部２０は、読み取った「日」を注文受付結果記憶部２２に記録する（ステップＳ１９）。また、注文受付結果読取部２０は、読み取った「日」“１７”を受付画面データ生成部１６に出力する。
【００６４】
受付画面データ生成部１６は、注文受付結果読取部２０から読み取った「日」“１７”を入力すると、入力した「日」“１７”に基づいて、受付画面データを生成する（ステップＳ２０）。ここで、受付画面データ生成部１６が生成する受付画面データは、図５（２）の受付画面において「日」“１７”を選択したことを示すデータである。
受付画面データ生成部１６は、生成した受付画面データを受付画面データ記憶部１８が記憶する受付画面データに上書き保存する（ステップＳ２１）。
【００６５】
発注端末４０は、ステップＳ１６の処理の後に取得した情報リソースをウェブブラウザによって表示部７０に表示させる。表示部７０は、ユーザが選択した「日」“１７”を表示する。
【００６６】
次に、ユーザは、図５（２）に示す「ご希望の日付を入力してください」という表示の近傍に表示されたプルダウンメニューに示される「年分」を複数の候補の中から選択する操作を発注端末４０に対して行う。この「年分」とは、上記「年」を１年目として何年分連続してまとめて入力するかを指定するメニューである。例えば、ユーザは、プルダウンメニューに示される“３”を選択する操作を発注端末４０に対して行う。上記「年」が“１８８８／明治２１”である場合、“１８８８／明治２１”、“１８８９／明治２２”、“１８９０／明治２３”の“３”「年分」が連続してまとめて入力される。
【００６７】
発注端末４０は、「年分」を選択するユーザ操作に応じた年分選択情報をネットワーク６０を介して受注システム５０に送信する。
【００６８】
受注システム５０が発注端末４０から年分選択情報を受信すると（ステップＳ２２）、受注システム５０が備える新聞情報出力装置１の注文受付結果読取部２０は、年分選択情報に含まれる情報に基づいて、ユーザが選択した「年分」を読み取る（ステップＳ２３）。例えば、注文受付結果読取部２０は、年分選択情報に含まれる情報に基づいて、ユーザが選択した「年分」“３”を読み取る。この時点で、注文受付結果読取部２０は、年分を含めた日付（年月日）を“１８８８／明治２１年１月１７日”、“１８８９／明治２２年１月１７日”、“１８９０／明治２３年１月１７日”と読み取ったことになる。注文受付結果読取部２０は、読み取った「年分」を注文受付結果記憶部２２に記録する（ステップＳ２４）。また、注文受付結果読取部２０は、読み取った「年分」“３”を受付画面データ生成部１６に出力する。また、注文受付結果読取部２０は、年分を含めた日付（年月日）“１８８８／明治２１年１月１７日”、“１８８９／明治２２年１月１７日”、“１８９０／明治２３年１月１７日”を日付判定部２４に出力する。
【００６９】
受付画面データ生成部１６は、注文受付結果読取部２０が読み取った「年分」“３”を入力すると、入力した「年分」“３”に基づいて、受付画面データを生成する（ステップＳ２５）。ここで、受付画面データ生成部１６が生成する受付画面データは、図５（２）の受付画面において「年分」“３”を選択したことを示すデータである。
受付画面データ生成部１６は、生成した受付画面データを受付画面データ記憶部１８が記憶する受付画面データに上書き保存する（ステップＳ２６）。
【００７０】
発注端末４０は、ステップＳ２６の処理の後に取得した情報リソースをウェブブラウザによって表示部７０に表示させる。表示部７０は、ユーザが選択した「年分」“３”を表示する。
【００７１】
また、日付判定部２４は、注文受付結果読取部２０から日付（年月日）“１８８８／明治２１年１月１７日”、“１８８９／明治２２年１月１７日”、“１８９０／明治２３年１月１７日”を入力すると、紙面情報記憶部１２が記憶するデータテーブルＴＢＬ１を読み出す。例えば、紙面情報記憶部１２が記憶するデータテーブルＴＢＬ１は、図４に示したデータテーブルＴＢＬ１である。日付判定部２４は、“１８８８／明治２１年１月１７日”とデータテーブルＴＢＬ１における日付（年月日）とを比較する。日付判定部２４は、データテーブルＴＢＬ１において“１８８８／明治２１年１月１７日”と一致する日付を読み取る。そして、日付判定部２４は、データテーブルＴＢＬ１において読み取った日付に対応する朝刊発行フラグが「１」であるか「０」であるかを判定する（ステップＳ２７）。
【００７２】
日付判定部２４は、読み取った日付に対応する朝刊発行フラグが「１」であると判定した場合（ステップＳ２７、「１」）、紙面情報記憶部１２が記憶するデータテーブルＴＢＬ２を読み出し、その朝刊発行フラグ「１」に対応する紙面情報識別番号を記憶部３０に記録する（ステップＳ２８）。
また、日付判定部２４は、読み取った日付に対応する朝刊発行フラグが「０」であると判定した場合（ステップＳ２７、「０」）、読み取った日付に対応する夕刊発行フラグが「１」であるか「０」であるかを判定する（ステップＳ２９）。
【００７３】
日付判定部２４は、読み取った日付に対応する夕刊発行フラグが「１」であると判定した場合（ステップＳ２９、「１」）、紙面情報記憶部１２が記憶するデータテーブルＴＢＬ２を読み出し、その夕刊発行フラグ「１」に対応する紙面情報識別番号を記憶部３０に記録する（ステップＳ２８）。
また、日付判定部２４は、読み取った日付に対応する夕刊発行フラグが「０」であると判定した場合（ステップＳ２９、「０」）、読み取った日付に１日加える（ステップＳ３０）。そして、日付判定部２４は、読み取った日付に１日加えた日付がデータテーブルＴＢＬ１に記録されている新聞の直近の日付を越えたか否かを判定する（ステップＳ３１）。
【００７４】
日付判定部２４は、ステップＳ２８の処理により紙面情報識別番号を記憶部３０に記録した場合、または、読み取った日付に１日加えた日付がデータテーブルＴＢＬ１に記録されている新聞の直近の日付を越えたと判定した場合（ステップＳ３１、ＹＥＳ）、注文受付結果読取部２０から取得したほかの日付（年月日）が有るか否かを判定する（ステップＳ３２）。例えば、日付判定部２４の注文受付結果読取部２０から取得した日付が“１８８８／明治２１年１月１７日”、“１８８９／明治２２年１月１７日”、“１８９０／明治２３年１月１７日”である場合、取得した日付の数Ｎは“３”である。日付判定部２４は、このＮからステップＳ３２の判定を行う毎に１を減算し、次回のステップＳ３２での判定時にその減算結果が０であった場合に、注文受付結果読取部２０から取得したほかの日付は無いと判定する（ステップＳ３２、ＮＯ）。すなわち、日付判定部２４は、取得した日付の全てに対して対応する紙面情報識別番号を記録する処理を行ったと判定する。
【００７５】
また、日付判定部２４は、注文受付結果読取部２０から取得したほかの日付（年月日）が有ると判定した場合（ステップＳ３２、ＹＥＳ）、または、読み取った日付に１日加えた日付がデータテーブルＴＢＬ１に記録されている新聞の直近の日付を越えていないと判定した場合（ステップＳ３１、ＮＯ）と判定した場合、ステップＳ２７の処理に戻す。
【００７６】
ステップＳ３２の処理においてほかの日付は無いと判定した場合（ステップＳ３２、ＮＯ）、受付画面データ生成部１６は、日付判定部２４が記憶部３０に記録した紙面情報識別番号に基づいて、受付画面データを生成する（ステップＳ３３）。ここで、受付画面データ生成部１６が生成する受付画面データは、例えば、図７に示したＮｏ．１〜３の新聞の日付、すなわち、“１８８８／明治２１年１月１７日”、“１８８９／明治２２年１月１７日”、“１８９０／明治２３年１月１７日”を示すデータである。
受付画面データ生成部１６は、生成した受付画面データを受付画面データ記憶部１８が記憶する受付画面データに上書き保存する（ステップＳ３４）。
【００７７】
発注端末４０は、ステップＳ３５の処理の後に取得した情報リソースをウェブブラウザによって表示部７０に表示させる。表示部７０は、ユーザが選択した「年分」を含む日付（年月日）を表示する。
【００７８】
次に、ユーザは、図５（３）に示す「表紙の色を選択してください」という表示の近傍に表示された複数の色の表紙のサンプルの中から選択する操作を発注端末４０に対して行う。例えば、ユーザは、表紙のサンプルの中からオレンジを選択する操作を発注端末４０に対して行う。
【００７９】
発注端末４０は、表紙のサンプルの中からオレンジを選択するユーザ操作に応じた表紙選択情報をネットワーク６０を介して受注システム５０に送信する。
【００８０】
受注システム５０が発注端末４０から表紙選択情報を受信すると（ステップＳ３５）、受注システム５０が備える新聞情報出力装置１の注文受付結果読取部２０は、表紙選択情報に含まれる情報に基づいて、ユーザが選択した表紙の色を読み取る（ステップＳ３６）。例えば、注文受付結果読取部２０は、表紙選択情報に含まれる情報に基づいて、ユーザが選択した表紙の色であるオレンジを読み取る。注文受付結果読取部２０は、読み取った表紙の色を注文受付結果記憶部２２に記録する（ステップＳ３７）。また、注文受付結果読取部２０は、読み取った表紙の色であるオレンジを受付画面データ生成部１６に出力する。
【００８１】
受付画面データ生成部１６は、注文受付結果読取部２０から表紙の色であるオレンジを入力すると、入力した表紙の色であるオレンジに基づいて、受付画面データを生成する（ステップＳ３８）。ここで、受付画面データ生成部１６が生成する受付画面データは、図５（３）の受付画面においてオレンジを選択したことを示すデータである。
受付画面データ生成部１６は、生成した受付画面データを受付画面データ記憶部１８が記憶する受付画面データに上書き保存する（ステップＳ４０）。
【００８２】
発注端末４０は、ステップＳ３９の処理の後に取得した情報リソースをウェブブラウザによって表示部７０に表示させる。表示部７０は、ユーザが選択した表紙の色であるオレンジを表示する。
【００８３】
次に、ユーザは、図６（４）に示す「表紙に印字するタイトル・お名前を入力してください」という表示の近傍に表示されたプルダウンメニューに示される既定のタイトルを選択する、または、「表紙に印字するタイトル・お名前を入力してください」という表示の近傍に表示された入力欄に任意の文字列を入力する操作を発注端末４０に対して行う。なお、ユーザは、タイトルなしのチェックボックスを選択し、タイトルを印字しない選択を行うことも可能である。
【００８４】
発注端末４０は、ユーザによるタイトルと氏名を指定するユーザ操作に応じたタイトル・氏名指定情報をネットワーク６０を介して受注システム５０に送信する。
【００８５】
受注システム５０が発注端末４０からタイトル・氏名指定情報を受信すると（ステップＳ４０）、受注システム５０が備える新聞情報出力装置１の注文受付結果読取部２０は、タイトル・氏名指定情報に含まれる情報に基づいて、ユーザが指定したタイトルと氏名を読み取る（ステップＳ４１）。例えば、注文受付結果読取部２０は、タイトル・氏名指定情報に含まれる情報に基づいて、ユーザが指定した「記念日」というタイトルと「新聞太郎」という氏名を読み取る。注文受付結果読取部２０は、読み取ったタイトルと氏名を注文受付結果記憶部２２に記録する（ステップＳ４２）。また、注文受付結果読取部２０は、読み取ったタイトルと氏名を受付画面データ生成部１６に出力する。
【００８６】
受付画面データ生成部１６は、注文受付結果読取部２０から読み取ったタイトルと氏名を入力すると、入力したタイトルと氏名に基づいて、受付画面データを生成する（ステップＳ４３）。ここで、受付画面データ生成部１６が生成する受付画面データは、図８に示した（表紙）を示すデータである。
受付画面データ生成部１６は、生成した受付画面データを受付画面データ記憶部１８が記憶する受付画面データに上書き保存する（ステップＳ４４）。
【００８７】
発注端末４０は、ステップＳ３９の処理の後に取得した情報リソースをウェブブラウザによって表示部７０に表示させる。表示部７０は、ユーザが指定したタイトルと氏名を表示する。
【００８８】
次に、ユーザは、図６（５）に示す「オプション選択」という表示の近傍に表示された種々のオプションの入力欄に必要な数量を数字で入力する操作を発注端末４０に対して行う。なお、オプションは、新聞文字を見やすくするルーペやプレゼント用の袋などである。また、オプションは、記念日新聞の記事における写真や氏名を贈り先の人物の写真や氏名に変更するものや、記念日新聞における文字を拡大印刷するものであってもよい。
【００８９】
発注端末４０は、ユーザによるオプションを指定するユーザ操作に応じたオプション指定情報をネットワーク６０を介して受注システム５０に送信する。
【００９０】
受注システム５０が発注端末４０からオプション指定情報を受信すると（ステップＳ４５）、受注システム５０が備える新聞情報出力装置１の注文受付結果読取部２０は、オプション指定情報に含まれる情報に基づいて、ユーザが指定したオプションを読み取る（ステップＳ４６）。例えば、注文受付結果読取部２０は、オプション指定情報に含まれる情報に基づいて、ユーザが指定した「ルーペ」のオプションを読み取る。注文受付結果読取部２０は、読み取ったオプションを注文受付結果記憶部２２に記録する（ステップＳ４７）。また、注文受付結果読取部２０は、読み取ったオプションを受付画面データ生成部１６に出力する。
【００９１】
受付画面データ生成部１６は、注文受付結果読取部２０からオプションを入力すると、入力したオプションに基づいて、受付画面データを生成する（ステップＳ４８）。ここで、受付画面データ生成部１６が生成する受付画面データは、図８に示した（オプション）を示すデータである。
受付画面データ生成部１６は、生成した受付画面データを受付画面データ記憶部１８が記憶する受付画面データに上書き保存する（ステップＳ４９）。
【００９２】
発注端末４０は、ステップＳ３９の処理の後に取得した情報リソースをウェブブラウザによって表示部７０に表示させる。表示部７０は、ユーザが指定したオプションを表示する。
【００９３】
なお、新聞情報出力装置１は、上述のように一連の処理の順番を予め設定し、ユーザが発注端末４０を介して受付画面に発注に必要な情報を入力する際に、図７に示したような受付画面において現在どの項目に何を入力すればよいかを例示することによりユーザの入力支援を行ってもよい。
【００９４】
例えば、上述のステップＳ３の処理を行うまでは、受付画面データ記憶部１８は、新聞社を選択するために現在操作すべき箇所を吹き出し、矢印、ハイライトなどの目立つ表示によりユーザに報知するデータを記憶していてもよい。発注端末４０は、受付画面データ記憶部１８からＨＴＭＬの情報リソース（受付画面データ）を定期的に取得している。そのため、発注端末４０は、ステップＳ３の処理を行うまでは、表示部７０に新聞社を選択するために現在操作すべき箇所を表示させることが可能である。
【００９５】
また、ステップＳ３の処理が行われると、受付画面データ生成部１６は、日付（年月日）の「年」を選択するために現在操作すべき箇所を吹き出し、矢印、ハイライトなどの目立つ表示によりユーザに報知するデータを生成する、または、記憶部３０から読み出す。そして、受付画面データ生成部１６は、受付画面データ記憶部１８が記憶する受付画面データを上書き保存してもよい。受付画面データ記憶部１８は、上述のステップＳ８の処理を行うまで、上書きされた受付画面データを記憶していてもよい。発注端末４０は、ステップＳ８の処理を行うまで、表示部７０に日付（年月日）の「年」を選択するために現在操作すべき箇所を表示させることが可能である。
【００９６】
また、ステップＳ８の処理が行われると、受付画面データ生成部１６は、日付（年月日）の「月」を選択するために現在操作すべき箇所を吹き出し、矢印、ハイライトなどの目立つ表示によりユーザに報知するデータを生成する、または、記憶部３０から読み出す。そして、受付画面データ生成部１６は、受付画面データ記憶部１８が記憶する受付画面データを上書き保存してもよい。受付画面データ記憶部１８は、上述のステップＳ１３の処理を行うまで、上書きされた受付画面データを記憶していてもよい。発注端末４０は、ステップＳ１３の処理を行うまで、表示部７０に日付（年月日）の「月」を選択するために現在操作すべき箇所を表示させることが可能である。
【００９７】
また、ステップＳ１３の処理が行われると、受付画面データ生成部１６は、日付（年月日）の「日」を選択するために現在操作すべき箇所を吹き出し、矢印、ハイライトなどの目立つ表示によりユーザに報知するデータを生成する、または、記憶部３０から読み出す。そして、受付画面データ生成部１６は、受付画面データ記憶部１８が記憶する受付画面データを上書き保存してもよい。受付画面データ記憶部１８は、上述のステップＳ１８の処理を行うまで、上書きされた受付画面データを記憶していてもよい。発注端末４０は、ステップＳ１８の処理を行うまで、表示部７０に日付（年月日）の「日」を選択するために現在操作すべき箇所を表示させることが可能である。
【００９８】
また、ステップＳ１８の処理が行われると、受付画面データ生成部１６は、日付（年月日）の「年分」を選択するために現在操作すべき箇所を吹き出し、矢印、ハイライトなどの目立つ表示によりユーザに報知するデータを生成する、または、記憶部３０から読み出す。そして、受付画面データ生成部１６は、受付画面データ記憶部１８が記憶する受付画面データを上書き保存してもよい。受付画面データ記憶部１８は、上述のステップＳ２３の処理を行うまで、上書きされた受付画面データを記憶していてもよい。発注端末４０は、ステップＳ２３の処理を行うまで、表示部７０に日付（年月日）の「年分」を選択するために現在操作すべき箇所を表示させることが可能である。
【００９９】
また、ステップＳ２３の処理が行われると、受付画面データ生成部１６は、表紙の色を指定するために現在操作すべき箇所を吹き出し、矢印、ハイライトなどの目立つ表示によりユーザに報知するデータを生成する、または、記憶部３０から読み出す。そして、受付画面データ生成部１６は、受付画面データ記憶部１８が記憶する受付画面データを上書き保存してもよい。受付画面データ記憶部１８は、上述のステップＳ３６の処理を行うまで、上書きされた受付画面データを記憶していてもよい。発注端末４０は、ステップＳ３６の処理を行うまで、表示部７０に表紙の色を指定するために現在操作すべき箇所を表示させることが可能である。
【０１００】
また、ステップＳ３６の処理が行われると、受付画面データ生成部１６は、タイトルと氏名を指定するために現在操作すべき箇所を吹き出し、矢印、ハイライトなどの目立つ表示によりユーザに報知するデータを生成する、または、記憶部３０から読み出す。そして、受付画面データ生成部１６は、受付画面データ記憶部１８が記憶する受付画面データを上書き保存してもよい。受付画面データ記憶部１８は、上述のステップＳ４１の処理を行うまで、上書きされた受付画面データを記憶していてもよい。発注端末４０は、ステップＳ４１の処理を行うまで、表示部７０にタイトルと氏名を指定するために現在操作すべき箇所を表示させることが可能である。
【０１０１】
また、ステップＳ４１の処理が行われると、受付画面データ生成部１６は、オプションを指定するために現在操作すべき箇所を吹き出し、矢印、ハイライトなどの目立つ表示によりユーザに報知するデータを生成する、または、記憶部３０から読み出す。そして、受付画面データ生成部１６は、受付画面データ記憶部１８が記憶する受付画面データを上書き保存してもよい。受付画面データ記憶部１８は、上述のステップＳ４６の処理を行うまで、上書きされた受付画面データを記憶していてもよい。発注端末４０は、ステップＳ４６の処理を行うまで、表示部７０にオプションを指定するために現在操作すべき箇所を表示させることが可能である。
【０１０２】
なお、受付画面での入力支援は、表示に限定するものではない。例えば、受付画面での入力支援は、受付画面データ記憶部１８が音声データを記憶し、音声により入力を支援するものであってもよい。また、受付画面での入力支援は、受付画面データ記憶部１８が動画データを記憶し、動画で受付画面での入力の例を示すことにより支援するものであってよい。また、受付画面での入力支援は、受付画面データ記憶部１８が警告を表示する画面データを記憶し、入力したデータが削除される場合などに警告を表示することにより入力を支援するものであってもよい。
【０１０３】
上述のステップＳ４９の後、発注端末４０は、ユーザ操作により入力された顧客情報（例えば、氏名、メールアドレス、住所、および電話番号など）をネットワーク６０を介して新聞情報出力装置１に送信する。
新聞情報出力装置１は、発注端末４０から受信した顧客情報を含む注文に基づいて、ユーザが指定した発行日の紙面情報と注文票を作成するためのデータとを読み取る。新聞情報出力装置１は、紙面情報と注文票を作成するためのデータとを印刷機２に送信する（ステップＳ５０）。印刷機２は、新聞情報出力装置１から紙面情報と注文票を作成するためのデータとを受信すると、記念日新聞に係るサービス専用の用紙に受信した紙面情報が示す記事を印刷する。また、印刷機２は、記念日新聞に係るサービスの注文票を印刷する。
印刷機２が記事を印刷したサービス専用の用紙は、製本され、注文票と共にユーザが指定した住所へ送付される。
また、会計サーバは、記念日新聞に係るサービスおよびオプション（オプションが選択された場合）の販売価格を示す価格情報と、支払方法を示す支払方法情報とを含む情報である会計情報に基づいて、会計処理を行う。
また、上述のステップＳ３０の処理で、日付判定部２４は、読み取った日付に対応する夕刊発行フラグが「０」であると判定した場合、読み取った日付に１日加えて再度判定するものとして説明した。すなわち、上述のステップＳ３０の処理で、日付判定部２４は、夕刊が発行されていない場合、翌日以降の朝刊及び夕刊の発行の有無を判定するものとし、直近に発行された新聞を代用する処理を行うものとして説明した。しかしながら、これに限定するものではない。例えば、上述のステップＳ３０の処理において、日付判定部２４は、読み取った日付に対応する夕刊発行フラグが「０」であると判定した場合、読み取った日付から１日減じて再度判定するものであってもよい。すなわち、上述のステップＳ３０の処理において、日付判定部２４は、夕刊が発行されていない場合、前日以前の朝刊及び夕刊の発行の有無を判定するものとし、直近に発行された新聞を代用する処理を行うものであってもよい。また、朝刊のみ、あるいは、夕刊のみを指定し直近に発行された新聞を代用するものであってもよい。また、上述のステップＳ３０の処理で、日付判定部２４は、読み取った日付に１日ではなく数日加えて、あるいは減じて再度判定するものであってもよい。なお、うるう年の２月２９日に関しても、うるう年ではない年の２月２９日を休刊日として扱うことで、上述と同様に発行された新聞の有無を判定し代用することができる。
【０１０４】
以上、本発明の実施形態による新聞情報出力装置１について説明した。上述の新聞情報出力装置１において、注文受付部１５は、過去の日付を示す日付情報を含む注文を受け付ける。日付判定部２４は、注文受付部１５が受け付ける注文に含まれる日付情報が示す日に発行された新聞の紙面情報が、新聞の発行日と当該発行日に発行された新聞の紙面情報とを対応付けて記憶する紙面情報記憶部１２に記憶されているか否かを判定する。受付画面データ生成部１６は、日付情報が示す日に発行された新聞の紙面情報が記憶されているか否かを日付判定部２４が判定した結果に基づいて、注文の受け付け結果を表示する画面の画面データを生成する。紙面情報出力部２５は、日付情報が示す日に発行された新聞の紙面情報が記憶されているか否かを日付判定部２４が判定した結果に基づいて、注文受付部１５が受け付ける注文に含まれる日付情報が示す日に発行された新聞の紙面情報、または日付情報が示す日の前後の日に発行された新聞の紙面情報の何れかを選択して、選択した紙面情報を出力する。
こうすることで、ウェブサイト上で新聞の複製物を記念日の贈り物として送付するサービスを注文する際、ユーザが注文の入力を容易に行うことができる。
【０１０５】
なお、発注端末４０は、ユーザ操作に基づいて、所定のファイル形式のファイルから成る注文シートを新聞情報出力装置１からダウンロードし、ダウンロードしたファイルに複数の日付を入力する。発注端末４０は、ユーザ操作に基づいて、複数の日付を入力したファイルをアップロードする。新聞情報出力装置１が備えるファイル取得部２６は、注文を含む所定のファイル形式のファイルを取得する。注文受付結果読取部２０は、ファイル取得部２６が取得した所定のファイル形式のファイルに含まれる複数の日付を読み取る。例えば、所定のファイル形式のファイルは、データをカンマや改行で区切って並べたテキスト形式のファイルの１つであるＣＳＶ形式のファイルである。受付画面データ生成部１６は、注文受付結果読取部２０が読み取った注文をユーザが修正できる表示で受付画面に表示する画面データを生成する。
こうすることで、ユーザは、所定のファイル形式のファイルにより複数の日付を入力できると共に、日付の修正は、所定のファイル形式のファイルを修正して再度アップロードせず、ウェブサイト上で修正することができる。
【０１０６】
なお、本発明における記憶部やメモリは、適切な情報の送受信が行われる範囲においてどこに備えられていてもよい。また、記憶部やメモリは、適切な情報の送受信が行われる範囲において複数存在しデータを分散して記憶していてもよい。
【０１０７】
なお本発明の実施形態における処理フローは、適切な処理が行われる範囲において、処理の順番が入れ替わってもよい。
【０１０８】
なお本発明の実施形態について説明したが、上述の新聞情報出力装置１は内部に、コンピュータシステムを有している。そして、上述した処理の過程は、プログラムの形式でコンピュータ読み取り可能な記憶部に記憶されており、このプログラムをコンピュータが読み出して実行することによって、上記処理が行われる。ここでコンピュータ読み取り可能な記憶部とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【０１０９】
また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【０１１０】
本発明のいくつかの実施形態を説明したが、これらの実施形態は、例として提示したものであり、発明の範囲を限定するものではない。また、発明の要旨を逸脱しない範囲で、種々の省略、置き換え、変更を行うことができるものである。
【０１１１】
なお、上記の実施形態の一部又は全部は、以下の付記のようにも記載されうるが、以下には限られない。
【０１１２】
（付記１）過去の日付を示す日付情報を含む注文を受け付ける注文受付部と、
前記注文受付部が受け付ける前記注文に含まれる前記日付情報が示す日に発行された新聞の紙面情報が、前記新聞の発行日と当該発行日に発行された新聞の紙面情報とを対応付けて記憶する記憶部に記憶されているか否かを判定する日付判定部と、
前記日付情報が示す日に発行された新聞の紙面情報が記憶されているか否かを前記日付判定部が判定した結果に基づいて、前記注文の受け付け結果を表示する画面の画面データを生成する受付画面データ生成部と、
前記日付情報が示す日に発行された新聞の紙面情報が記憶されているか否かを前記日付判定部が判定した結果に基づいて、前記注文受付部が受け付ける前記注文に含まれる前記日付情報が示す日に発行された前記新聞の前記紙面情報、または前記日付情報が示す日の前後の日に発行された前記新聞の前記紙面情報の何れかを選択して、選択した前記紙面情報を出力する紙面情報出力部と、
を備える新聞情報出力装置。
【０１１３】
（付記２）前記日付判定部は、
前記注文受付部が１つの日付を示す日付情報と複数年を示す日付情報とを受け付けた場合、前記複数年のそれぞれが示す年と前記１つの日付が示す月日とを組み合わせたそれぞれの年月日に発行された新聞の紙面情報が、前記新聞の発行日と当該発行日に発行された新聞の紙面情報とを対応付けて記憶する記憶部に記憶されているか否かを判定する、
付記１に記載の新聞情報出力装置。
【０１１４】
（付記３）前記紙面情報出力部は、
前記日付情報が示す日に発行された新聞の紙面情報が、前記新聞の発行日と当該発行日に発行された新聞の紙面情報とを対応付けて記憶する記憶部に記憶されていると前記日付判定部が判定した場合、前記注文受付部が受け付ける前記注文に含まれる前記日付情報が示す日に発行された前記新聞の前記紙面情報を選択して、選択した前記紙面情報を出力し、
前記日付情報が示す日に発行された新聞の紙面情報が、前記新聞の発行日と当該発行日に発行された新聞の紙面情報とを対応付けて記憶する記憶部に記憶されていないと前記日付判定部が判定した場合、前記注文受付部が受け付ける前記注文に含まれる前記日付情報が示す日の前後の日に発行された前記新聞の前記紙面情報の何れかを選択して、選択した前記紙面情報を出力する、
付記１または付記２に記載の新聞情報出力装置。
【０１１５】
（付記４）前記注文を含む所定のファイル形式のファイルを取得するファイル取得部と、
前記ファイル取得部が取得した前記ファイルに含まれる前記注文の受け付け結果を読み取る注文受付結果読取部と、
を備え、
前記受付画面データ生成部は、
前記注文受付結果読取部が読み取った前記注文の受け付け結果をユーザが修正できる表示で画面に表示する画面データを生成する、
付記１から付記３の何れか一に記載の新聞情報出力装置。
【０１１６】
（付記５）前記受付画面データ生成部は、
ユーザが前記注文を入力する際に、前記画面における入力箇所を誘導し、前記入力箇所で入力する注文の入力例を表示する画面データを生成する、
付記１から付記４の何れか一に記載の新聞情報出力装置。
【０１１７】
（付記６）前記受付画面データ生成部は、
ユーザが前記注文を入力する際に、前記画面における前記注文の入力の入力手順を示す動画を表示する画面データを生成する、
付記１から付記５の何れか一に記載の新聞情報出力装置。
【０１１８】
（付記７）前記受付画面データ生成部は、
前記画面に前記注文に対応する商品のサンプルを表示する画面データを生成する、
付記１から付記６の何れか一に記載の新聞情報出力装置。
【０１１９】
（付記８）注文受付部は、過去の日付を示す日付情報を含む注文を受け付け、
日付判定部は、前記注文受付部が受け付ける前記注文に含まれる前記日付情報が示す日に発行された新聞の紙面情報が、前記新聞の発行日と当該発行日に発行された新聞の紙面情報とを対応付けて記憶する記憶部に記憶されているか否かを判定し、
受付画面データ生成部は、前記日付情報が示す日に発行された新聞の紙面情報が記憶されているか否かを前記日付判定部が判定した結果に基づいて、前記注文の受け付け結果を表示する画面の画面データを生成し、
紙面情報出力部は、前記日付情報が示す日に発行された新聞の紙面情報が記憶されているか否かを前記日付判定部が判定した結果に基づいて、前記注文受付部が受け付ける前記注文に含まれる前記日付情報が示す日に発行された前記新聞の前記紙面情報、または前記日付情報が示す日の前後の日に発行された前記新聞の前記紙面情報の何れかを選択して、選択した前記紙面情報を出力する、
新聞情報出力方法。
【０１２０】
（付記９）コンピュータを、
過去の日付を示す日付情報を含む注文を受け付ける注文受付部と、
前記注文受付部が受け付ける前記注文に含まれる前記日付情報が示す日に発行された新聞の紙面情報が、前記新聞の発行日と前記紙面情報とを対応付けて記憶する記憶部に記憶されているか否かを判定する日付判定部と、
前記紙面情報が記憶されているか否かを前記日付判定部が判定した結果に基づいて、前記注文の受け付け結果を表示する画面の画面データを生成する受付画面データ生成部と、
前記紙面情報が記憶されているか否かを前記日付判定部が判定した結果に基づいて、前記注文受付部が受け付ける前記注文に含まれる前記日付情報が示す日に発行された前記新聞の前記紙面情報、または前記日付情報が示す日の前後の日に発行された前記新聞の前記紙面情報の何れかを選択して、選択した前記紙面情報を出力する紙面情報出力部、
として機能させるプログラム。
【符号の説明】
【０１２１】
１・・・新聞情報出力装置
２・・・印刷機
３・・・受発注システム
１０・・・通信部
１２・・・紙面情報記憶部
１４・・・紙面情報管理部
１５・・・注文受付部
１６・・・受付画面データ生成部
１８・・・受付画面データ記憶部
２０・・・注文受付結果読取部
２２・・・注文受付結果記憶部
２４・・・日付判定部
２６・・・ファイル取得部
２８・・・ＣＰＵ部
３０・・・記憶部
３２・・・記念日新聞受注プログラム
４０・・・発注端末
５０・・・受注システム
６０・・・ネットワーク
７０・・・表示部
【図１】
2016045648.tif 000003
【図２】
2016045648.tif 000004
【図３】
2016045648.tif 000005
【図４】
2016045648.tif 000006
【図５】
2016045648.tif 000007
【図６】
2016045648.tif 000008
【図７】
2016045648.tif 000009
【図８】
2016045648.tif 000010
【図９】
2016045648.tif 000011
【図１０】
2016045648.tif 000012